(57)【要約】      （修正有）【課題】理論的に好適とされた長さに設定できる人工心肺装置における血液回路チューブを提供する。【解決手段】血液回路チューブによって、患者側の接続部となる第１接続部α１と、第１接続部α１よりも低い位置に設定された人工心肺装置側の接続部となる第２接続部α２とが接続される。血液回路チューブの長さが、所定のカテナリー曲線Ｋの半分の長さに設定される。所定のカテナリー曲線Ｋは、第１接続部α１と第２接続部α２を中心として第１接続部α１に対して対称となる位置に設定される対称接続部β１とを、血液回路チューブよりも長いチューブ部材で連結した際に、自重により垂れ下がるチューブ部材の最下点位置が該第２接続部α２の位置となるカテナリー曲線とされる。【選択図】図２
0003228867.tif 000002
【実用新案登録請求の範囲】
【請求項１】
血液回路チューブによって、患者側の接続部となる第１接続部と、該第１接続部よりも低い位置に設定された人工心肺装置側の接続部となる第２接続部とを連結するようにした人工心肺装置における血液回路チューブにおいて、
前記第１接続部と前記第２接続部とを連結した状態における前記血液回路チューブの長さが、所定のカテナリー曲線の半分の長さに設定され、
前記所定のカテナリー曲線が、前記第１接続部と前記第２接続部を中心として該第１接続部に対して対称となる位置に設定される対称接続部とを前記血液回路チューブよりも長いチューブ部材で連結した際に、自重により垂れ下がる該チューブ部材の最下点位置が該第２接続部の位置となるカテナリー曲線とされている、
ことを特徴とする人工心肺装置における血液回路チューブ。
【請求項２】
血液回路チューブによって、患者側の接続部となる第１接続部と、該第１接続部よりも低い位置に設定された人工心肺装置側の接続部となる第２接続部とを連結するようにした人工心肺装置における血液回路チューブの長さ設定装置であって、
前記第１接続部と前記第２接続部との水平方向距離と、該第１接続部と該第２接続部との高低差とを入力する入力手段と、
前記入力手段で入力された前記水平方向距離と前記高低差とに基づいて所定のカテナリー曲線を決定するカテナリー曲線決定手段と、
前記カテナリー曲線決定手段で決定された前記所定のカテナリー曲線に基づく長さを決定する長さ決定手段と、
前記長さ決定手段で決定された長さを表示する表示手段と、
を備え、
前記所定のカテナリー曲線が、前記第１接続部と前記第２接続部を中心として該第１接続部に対して対称となる位置に設定される対称接続部とを前記血液回路チューブよりも長いチューブ部材で連結した際に、自重により垂れ下がる該チューブ部材の最下点位置が該第２接続部の位置となるカテナリー曲線とされている、
ことを特徴とする人工心肺装置における血液回路チューブの長さ設定装置。
【請求項３】
請求項２において、
前記長さ決定手段が、前記所定のカテナリー曲線の半分の長さを決定する、ことを特徴とする人工心肺装置における血液回路チューブの長さ設定装置。
【請求項４】
請求項２または請求項３において、
前記表示手段は、前記所定のカテナリー曲線の形状のうち長手方向中心位置を境にした半分の形状をも表示するようにされている、ことを特徴とする人工心肺装置における血液回路チューブの長さ設定装置。
【請求項５】
血液回路チューブによって、患者側の接続部となる第１接続部と、該第１接続部よりも低い位置に設定された人工心肺装置側の接続部となる第２接続部とを連結するようにした人工心肺装置における血液回路チューブの長さ設定装置であって、
前記第１接続部と前記第２接続部との水平方向距離と、該第１接続部と該第２接続部との高低差とを入力する入力手段と、
前記第１接続部と前記第２接続部との水平方向距離と、該第１接続部と該第２接続部との高低差とをパラメータとして、所定のカテナリー曲線の長さに関する表示値を記憶した第１データベースと、
前記入力手段で入力された前記水平方向距離と前記高低差とを前記第１データベースに照合して、表示値を決定する表示値決定手段と、
前記表示値決定手段で決定された表示値を表示する表示手段と、
を備え、
前記所定のカテナリー曲線が、前記第１接続部と前記第２接続部を中心として該第１接続部に対して対称となる位置に設定される対称接続部とを前記血液回路チューブよりも長いチューブ部材で連結した際に、自重により垂れ下がる該チューブ部材の最下点位置が該第２接続部の位置となるカテナリー曲線とされている、
ことを特徴とする人工心肺装置における血液回路チューブの長さ設定装置。
【請求項６】
請求項５において、
前記第１データベースに記憶されている前記表示値が、前記所定のカテナリー曲線の半分の長さとされている、ことを特徴とする人工心肺装置における血液回路チューブの長さ設定装置。
【請求項７】
請求項５または請求項６において、
前記第１接続部と前記第２接続部との水平方向距離と、該第１接続部と該第２接続部との高低差とをパラメータとして、所定のカテナリー曲線のうち長手方向中心位置を境にして半分の長さに相当する部分の形状となる表示用形状を記憶した第２データベースと、
前記入力手段で入力された前記水平方向距離と前記高低差とを前記第２データベースに照合して、表示用形状を決定する表示用形状決定手段と、
をさらに有し、
前記表示手段は、前記表示用形状決定手段で決定された表示用形状をも表示する、
ことを特徴とする人工心肺装置における血液回路チューブの長さ設定装置。
【請求項８】
請求項３または請求項６において、
前記表示手段に、前記第１接続部と前記第２接続部とを直線で結んだ直線長さまたは該直線長さに対する前記所定のカテナリー曲線の半分の長さの割合に関する値が表示される、ことを特徴とする人工心肺装置における血液回路チューブの長さ設定装置。
【考案の詳細な説明】
【技術分野】
【０００１】
本考案は、人工心肺装置における血液回路チューブ及び血液回路チューブの長さ設定装置に関するものである。
【背景技術】
【０００２】
例えば心臓手術等のときには、ポンプ、リザーバ、人工肺等を有する人工心肺装置が、手術台上の患者に対して複数本の血液回路チューブ（脱血用チューブ、送血用チューブ等）を介して接続される（例えば特許文献１参照）。すなわち、血液回路チューブによって、患者側となる第１接続部と人工心肺装置側となる第２接続部とが連結（接続）される。この場合、第２接続部が、第１接続部よりも低い位置とされるのが一般的である。
【先行技術文献】
【特許文献】
【０００３】
【特許文献１】特開２００３−０１９１６８号公報
【考案の概要】
【考案が解決しようとする課題】
【０００４】
ところで、人工心肺装置を使用する初期時には、機器類内と血液回路チューブ内の空気を除去するために、プライミングと呼ばれる代用血漿、体外循環希釈剤及び血液等の液体が初期充填されるが、このプライミング量を極力少なくするために、血液回路チューブを極力短くすることが望まれることになる。この一方、血液回路チューブを短くし過ぎると、血液回路チューブの張力が大きくなり過ぎてしまうことになる（各接続部で過負荷発生）。
【０００５】
血液回路チューブの長さを決定するに際しては、現状では、医師や臨床工学技士が自らの経験によって感覚的に決定しているというのが実情である。このため、第１接続部と第２接続部との位置関係が全く同じであったとしても、医師や臨床工学技士が相違すると決定される血液回路チューブの長さが相違してしまう、ということが多々生じており、理論的な設計がなされていないというのが実情である。
【０００６】
本考案は以上のような事情を勘案してなされたもので、その第１の目的は、理論的に好適な長さとされた人工心肺装置における血液回路チューブを提供することにある。
【０００７】
本考案の第２の目的は、血液回路チューブの長さを理論的に好適とされた長さに設定するための人工心肺装置における血液回路チューブの長さ設定装置を提供することにある。
【課題を解決するための手段】
【０００８】
前記第１の目的を達成するため、本考案にあっては次のようなの解決手法を採択してある。すなわち、請求項１に記載のように、
血液回路チューブによって、患者側の接続部となる第１接続部と、該第１接続部よりも低い位置に設定された人工心肺装置側の接続部となる第２接続部とを連結するようにした人工心肺装置における血液回路チューブにおいて、
前記第１接続部と前記第２接続部とを連結した状態における前記血液回路チューブの長さが、所定のカテナリー曲線の半分の長さに設定され、
前記所定のカテナリー曲線が、前記第１接続部と前記第２接続部を中心として該第１接続部に対して対称となる位置に設定される対称接続部とを前記血液回路チューブよりも長いチューブ部材で連結した際に、自重により垂れ下がる該チューブ部材の最下点位置が該第２接続部の位置となるカテナリー曲線とされている、
ようにしてある。
【０００９】
第１接続部、第２接続部間の血液回路チューブを直線状態から、徐々にチューブ長を伸ばしていき、所定のカテナリー曲線に至るまで各接続点の張力を求めた結果、所定のカテナリー曲線に基づいて長さ設定された形状で、第２接続部に於いては、垂直方向の張力は無くなり、水平方向の張力も最低となる為、最低張力となる。また、第１接続部に於いても、チューブの自重増加分以上に水平張力が低くなる為、最低張力となる。このように、上記解決手法によれば、所定のカテナリー曲線に基づいて長さ設定された血液回路チューブは、血液プライミングボリュームと張力のバランスが最適な状態となる。なお、所定のカテナリー曲線は、血液回路チューブの自重（単位長さ当たりの重量）や径が相違しても、同じものとなる。以上に加えて、血液回路チューブの長さや形状は理論的に決定されると共に検証も可能であり、ＩＳＯ１３４８５に規定されている設計要求を満たすことにもなる。
【００１０】
前記第２の目的を達成するため、本考案にあっては次のような第１の解決手法を採択してある。すなわち、請求項２に記載のように、
血液回路チューブによって、患者側の接続部となる第１接続部と、該第１接続部よりも低い位置に設定された人工心肺装置側の接続部となる第２接続部とを連結するようにした人工心肺装置における血液回路チューブの長さ設定装置であって、
前記第１接続部と前記第２接続部との水平方向距離と、該第１接続部と該第２接続部との高低差とを入力する入力手段と、
前記入力手段で入力された前記水平方向距離と前記高低差とに基づいて所定のカテナリー曲線を決定するカテナリー曲線決定手段と、
前記カテナリー曲線決定手段で決定された前記所定のカテナリー曲線に基づく長さを決定する長さ決定手段と、
前記長さ決定手段で決定された長さを表示する表示手段と、
を備え、
前記所定のカテナリー曲線が、前記第１接続部と前記第２接続部を中心として該第１接続部に対して対称となる位置に設定される対称接続部とを前記血液回路チューブよりも長いチューブ部材で連結した際に、自重により垂れ下がる該チューブ部材の最下点位置が該第２接続部の位置となるカテナリー曲線とされている、
ようにしてある。
【００１１】
上記第１の解決手法によれば、  血液プライミングボリュームと張力のバランスが最適な状態となる長さを有する血液回路チューブの長さを設定することができる。さらに、前記第１接続部と前記第２接続部における張力は、前記第２接続部以下に前記血液回路チューブが垂れ下がらない形状において、各々に最低張力である事が計算結果よりわかっており、この計算結果も表示することが可能である。
【００１２】
上記第１の解決手法を前提として、次のような態様を採択することができる。すなわち、
前記長さ決定手段が、前記所定のカテナリー曲線の半分の長さを決定する、ようにすることができる（請求項３対応）。この場合、実際に血液回路チューブに要求される好適な長さそのものを、表示させることができる。
【００１３】
前記表示手段は、前記所定のカテナリー曲線の形状のうち長手方向中心位置を境にした半分の形状をも表示するようにされている、ようにすることができる（請求項４対応）。この場合、第１接続部と第２接続部とを接続した状態の血液回路チューブの形状を目視によって確認することができる。
【００１４】
前記第２の目的を達成するため、本考案にあっては次のような第２の解決手法を採択してある。すなわち、請求項５に記載のように、
血液回路チューブによって、患者側の接続部となる第１接続部と、該第１接続部よりも低い位置に設定された人工心肺装置側の接続部となる第２接続部とを連結するようにした人工心肺装置における血液回路チューブの長さ設定装置であって、
前記第１接続部と前記第２接続部との水平方向距離と、該第１接続部と該第２接続部との高低差とを入力する入力手段と、
前記第１接続部と前記第２接続部との水平方向距離と、該第１接続部と該第２接続部との高低差とをパラメータとして、所定のカテナリー曲線の長さに関する表示値を記憶した第１データベースと、
前記入力手段で入力された前記水平方向距離と前記高低差とを前記第１データベースに照合して、表示値を決定する表示値決定手段と、
前記表示値決定手段で決定された表示値を表示する表示手段と、
を備え、
前記所定のカテナリー曲線が、前記第１接続部と前記第２接続部を中心として該第１接続部に対して対称となる位置に設定される対称接続部とを前記血液回路チューブよりも長いチューブ部材で連結した際に、自重により垂れ下がる該チューブ部材の最下点位置が該第２接続部の位置となるカテナリー曲線とされている、
ようにしてある。
【００１５】
上記第２の解決手法によれば、血液プライミングボリュームと張力のバランスが最適な状態となる長さを有する血液回路チューブの長さを設定することができる。また、血液回路チューブの長さを、データベースを利用して容易に取得することができる。さらに、前記第１接続部と前記第２接続部における張力は、前記第２接続部以下に前記血液回路チューブが垂れ下がらない形状において、各々に最低張力である事が計算結果よりわかっており、この計算結果もデータベースに基づいて表示することが可能である。
【００１６】
上記第２の解決手法を前提として、次のような態様を採択することができる。すなわち、
前記第１データベースに記憶されている前記表示値が、前記所定のカテナリー曲線の半分の長さとされている、ようにすることができる（請求項６対応）。この場合、実際に血液回路チューブに要求される好適な長さそのものを表示させることができる。
【００１７】
前記第１接続部と前記第２接続部との水平方向距離と、該第１接続部と該第２接続部との高低差とをパラメータとして、所定のカテナリー曲線のうち長手方向中心位置を境にして半分の長さに相当する部分の形状となる表示用形状を記憶した第２データベースと、
前記入力手段で入力された前記水平方向距離と前記高低差とを前記第２データベースに照合して、表示用形状を決定する表示用形状決定手段と、
をさらに有し、
前記表示手段は、前記表示用形状決定手段で決定された表示用形状をも表示する、
ようにすることができる（請求項７対応）。この場合、第１接続部と第２接続部とを接続した状態の血液回路チューブの形状を目視によって確認することができる。また、この形状を、データベースを利用して容易に得ることができる。なお、第１接続部、第２接続部に掛かる張力値をデータベースに記憶させて、この張力値を表示させることもできる。
【００１８】
前記第１の解決手法および第２の解決手法を前提として、次のような態様を採択することができる。すなわち、
前記表示手段に、前記第１接続部と前記第２接続部とを直線で結んだ直線長さまたは該直線長さに対する前記所定のカテナリー曲線の半分の長さの割合に関する値が表示される、ようにすることができる（請求項８対応）。この場合、好適として提供される血液回路チューブの長さを、第１接続部と第２接続部との直線長さとの関係で直感的に容易に把握できるようにする上で好ましいものとなる。
【考案の効果】
【００１９】
本考案によれば、血液回路チューブの長さを、理論的に得られる好適な長さに設定することができる。
【図面の簡単な説明】
【００２０】
【図１】第１接続部と第２接続部とを血液回路チューブによって連結した状態を示す簡略側面図。
【図２】所定のカテナリー曲線を示す図。
【図３】血液回路チューブの適切な長さを得るための制御系統例を示す図。
【図４】血液回路チューブの適切な長さを得るための別の制御系統例を示す図。
【図５】データベースを示す図。
【図６】表示部での表示例を示す図。
【考案を実施するための形態】
【００２１】
図１において、Ｆは手術室の床面である。床面Ｆの上方位置に、第１接続部α１と第２接続部α２とが設定される。第１接続部α１は、手術用ベッドに横たわる患者（それぞれ図示略）側への接続部位となるもので、医師あるいは臨床工学士によって指定された位置とされる。第２接続部α２は、人工心肺装置への接続部位となる位置である。
【００２２】
第１接続部α１と第２接続部α２とが、血液回路チューブＴによって連結（接続）される。血液回路チューブＴは、脱血用と送血用とが個別に設けられるが、そのたわみ形状設定に際しては共通である。この血液回路チューブＴは、後述するように、距離Ｌと高低差Ｈとに応じて所定の長さに設定されて、所定のたわみ形状を有した状態で第１接続部α１と第２接続部α２とを接続している。
【００２３】
図１に示す所定の長さおよび所定のたわみ形状とされた血液回路チューブＴは、その長さが、次のように所定のカテナリー曲線に対応したものとして設定される。以下、所定のカテナリー曲線について、図２を参照しつつ説明する。
【００２４】
まず、第１接続部α１と第２接続部α２とを含む平面内において、第２接続部α２を中心として第１接続部α１の対称位置となる対称接続部β１が設定される。第１接続部α１と対称接続部β１とを結ぶ直線距離よりも長い血液回路チューブを用意して、その一端を第１接続部α１に固定し、その他端を対称接続部β１に固定した状態とする。この状態で、血液回路チューブは自然に下方へ撓み変形（湾曲）されるが、撓み変形された形状は、第２接続部α２を通る上下方向に延びる左右対称軸線Ｚを中心に左右対称形状とされる。
【００２５】
上述のように、撓み変形された血液回路チューブの最下点位置は、その長手方向中間位置となる（最下点位置は、左右対称軸線Ｚ上に位置される）。そして、この最下点位置が第２接続部α２となるときに示す血液回路チューブの曲線が、所定のカテナリー曲線とされる。この所定のカテナリー曲線が符号Ｋで示される。
【００２６】
所定のカテナリー曲線Ｋにおいては、第２接続部α２よりも低い位置に垂れ下がることがなく、かつ第２接続部α２において引き上げる力を必要としないため、垂れ下がりのない状態で最低張力となる。この所定のカテナリー曲線Ｋとなるように長さ設定された血液回路チューブは、血液プライミングボリュームと張力のバランスが最適な状態となる。なお、所定のカテナリー曲線Ｋは、血液回路チューブの自重（単位長さ当たりの重量）や径が相違しても、同じものとなる。
【００２７】
図２において、血液回路チューブの長さを、所定のカテナリー曲線Ｋの長さ（所定のカテナリー曲線Ｋに沿う長さ）よりも短い状態のカテナリー曲線が符号Ｒ１で示される。この短いカテナリー曲線Ｒ１に応じた長さを有する血液回路チューブを用いたときは、血液プライミングボリュームを小さくするという観点からは好ましいものの、張力が大きくなり過ぎてしまう。
【００２８】
また、図２において、血液回路チューブの長さを、所定のカテナリー曲線Ｋの長さ（所定のカテナリー曲線Ｋに沿う長さ）よりも長い状態のカテナリー曲線が符号Ｒ２で示される。この長いカテナリー曲線Ｒ２に応じた長さの血液回路チューブを用いたときは、不必要に血液プライミングボリュームが大きくしてしまうだけであり、好ましくない設定となる。
【００２９】
図１に示す血液回路チューブＴの長さおよび形状が、図２に示す所定のカテナリー曲線Ｋをその長手方向中心を境に半分の部位の長さおよび形状とされている。なお、第１接続部α１と第２接続部α２とを連結した状態での血液回路チューブＴの撓み形状は、その長さに応じて自動的に決定される。したがって、血液回路チューブＴの長さを所定のカテナリー曲線Ｋの半分の長さに設定すれば、第１接続部α１と第２接続部α２とを連結した際には、血液回路チューブＴの撓み形状は、自動的に、所定のカテナリー曲線Ｋをその長手方向中心を境に半分部位の形状となる。
【００３０】
図３は、所定のカテナリー曲線Ｋの長さに応じた長さを取得するための情報処理装置Ｕ１を示すものである。この情報処理装置Ｕ１は、例えばパーソナルコンピュータ（例えばノートパソコン、タブレットパソコン、デスクトップ型パソコン等）を用いて構成されている。
【００３１】
図３において、１１は入力部（入力手段）１２は所定のカテナリー曲線Ｋを算出する算出部（所定のカテナリー曲線Ｋの決定手段）、１３は長さ決定部（長さ決定手段で）、１４は表示部（表示手段）である。入力部１１は、キーボードや情報処理装置Ｕ１の表示画面に表示される入力キー部によって構成される。算出部１２および長さ決定部１３は、情報処理装置Ｕ１のＣＰＵでの処理内容となる。算出部１２での算出に必要なデータ等は、情報処理装置Ｕ１のＲＯＭ等に記憶されている。表示部１４は、情報処理装置Ｕ１の表示画面によって構成されている。
【００３２】
図３において、入力部１１から、第１接続部α１と第２接続部α２との距離（水平方向距離）Ｌと、その高低差Ｈとが入力される。なお、高低差Ｈの入力は、第１接続部α１の高さと第２接続部α２の高さとを個別に入力して、演算処理によって高低差Ｈを算出するものであってもよい。
【００３３】
算出部１２では、入力された距離Ｌと高低差Ｈとから、所定のカテナリー曲線Ｋが算出（決定）される。なお、カテナリー曲線Ｋを算出する手法は、従来からよく知られているので、その詳細な説明は省略する。
【００３４】
長さ決定部１３では、算出された所定のカテナリー曲線Ｋの長さが算出される。この長さ決定部１３で決定される長さは、所定のカテナリー曲線Ｋの全長であってもよく、またはその半分の長さとすることができる。
【００３５】
表示部１４には、長さ決定部１３で決定された長さが表示される。なお、表示部１３で表示される長さ（長さ決定部１３で決定される長さ）としては、図１に示す血液回路チューブＴの長さが要求されることから、所定のカテナリー曲線Ｋの全長の１／２の長さを表示するのが好ましい。
【００３６】
図４は、図３に対応した別の制御系統例を示す。図４において、Ｕ２は、所定のカテナリー曲線Ｋの長さに応じた長さを取得するための情報処理装置であり、図３に示すＵ１に対応している。すなわち、情報処理装置Ｕ２は、例えばパーソナルコンピュータ（例えばノートパソコン、タブレットパソコン、デスクトップ型パソコン等）を用いて構成されている。
【００３７】
図４の例では、別途所定のカテナリー曲線Ｋを一々算出することなく、両接続部α１とα２との間の距離Ｌとその高低差Ｈとをパラメータとして、所定のカテナリー曲線Ｋが示す長さを記憶した第１データベース２３が設定される。  第１データベース２３に記憶される長さは、所定のカテナリー曲線Ｋの全長あるいはその半分の長さとすることができる。要求される長さは、図１に示す血液回路チューブＴの長さであることから、所定のカテナリー曲線Ｋの全長の１／２の長さを記憶しておくのが好ましい。
【００３８】
図４の例では、さらに、両接続部α１とα２との間の距離Ｋとその高低差Ｈとをパラメータとして、所定のカテナリー曲線Ｋが示す形状を記憶した第２データベース２５が設定される。記憶される形状は、所定のカテナリー曲線Ｋの全長の形状でもよく、あるいはその長手方向中心位置を境にした半分の部位の形状とすることができる。要求されるのは、図１に示す血液回路チューブＴの形状であることから、上記半分の部位の形状を記憶しておくのが好ましい。
【００３９】
上記各データベース２３、２５の設定例が、図５に簡略的に示される。図５のデータベースにおいて、距離Ｌについては、例えば、あらかじめ設定された下限長さと上限長さとの間で所定単位（例えば５ｃｍ単位）毎に記憶値を設定することができる。また、高低差Ｈについては、例えば、あらかじめ設定された下限高低差と上限高低差との間で所定単位（例えば２ｃｍ単位）毎に記憶値を設定することができる。なお、第１データベース２３と第２データベース２５とを複合させて、１つのデータベース中に、当該第１データベース２３の記憶内容と第２データベース２５の記憶内容とを記憶させておくこともできる。
【００４０】
表示部２６での表示内容の一例が図６に示される。この図６では、推奨される血液回路チューブの長さが表示され、図６では１．２７３ｍが表示されている。この表示されている長さは、所定のカテナリー曲線Ｋの全長の１／２の長さに相当する長さである。また、表示部２６に表示される推奨される血液回路チューブの形状が表示される。形状表示に際しては、患者側の第１接続部α１に相当する位置と、人工心肺装置側の第２接続部α２に相当する位置とが合わせて表示される。
【００４１】
ここで、表示部２６において、２つの接続部α１とα２とを結ぶ直線Ｓと、この直線Ｓの長さ（図６では、１．２２１ｍと表示）とを合わせて表示することができる。この直線Ｓの長さ表示は、図３の表示部１４においても同じように表示するのが好ましい。直線Ｓの長さ表示を行うことにより、血液回路チューブの推奨長さがどの程度の長さであるのかを直感的に知ることができる。なお、表示部２６（表示部１４においても同じ）において、血液回路チューブの推奨長さが直線Ｓの長さに対してどの程度の割合で長くなるのかを示す値（例えば１０４％等）を表示することもできる。なお、直線Ｓの長さは、距離Ｌと高低差Ｈとに基づいて算出することができる（このための算出部については図３、図４では図示略）。
【００４２】
以上実施形態について説明したが、本考案は、実施形態に限定されるものではなく、特許請求の範囲の記載された範囲において適宜の変更が可能である。所定のカテナリー曲線Ｋを取得した際に、その張力（特に第１接続部α１に作用する張力）をも合わせて算出して、この張力をも表示部１４あるいは２６に表示させるようにしてもよい。医師や臨床工学技士は、表示部１４（あるいは２６）に表示された長さに対して経験を加味して、最終的に使用する血液回路チューブＴの長さを決定することもできる（表示された長さの補正）。さらに、医師や臨床工学技士においては、好適設計値の事前提示から、補正によるプライミングボリュームの変化量を考慮しながら最終補正値を決めることが可能になる。またこの過程をISO設計検証の記録として記録化することが可能になる。第１接続部α１と患者（患者に挿入されたカニューレ）との接続は、別途設けた別チューブによって接続してもよく、あるいは血液回路チューブＴを別チューブの長さ分だけ延長させて、血液回路チューブＴを直接的にカニューレに接続するようにしてもよい。勿論、本考案の目的は、明記されたものに限らず、実質的に好ましいあるいは利点として表現されたものを提供することをも暗黙的に含むものである。
【産業上の利用可能性】
【００４３】
本考案は、人工心肺装置に適用して好適である。
【符号の説明】
【００４４】
Ｆ：  手術室の床面
α１：第１接続部
α１：第２接続部
β１：対称接続部
Ｚ：対称軸線
Ｌ：距離
Ｈ：高低差
Ｔ：血液回路チューブ
Ｕ１：情報処理装置
１１：入力部
１２：算出部
１３：長さ決定部
１４：表示部
Ｕ２：情報処理装置
２１：入力部
２２：長さ決定部
２３：第１データベース
２４：形状決定部
２５：第２データベース
２６：表示部
【図１】
0003228867.tif 000003
【図２】
0003228867.tif 000004
【図３】
0003228867.tif 000005
【図４】
0003228867.tif 000006
【図５】
0003228867.tif 000007
【図６】
0003228867.tif 000008